(57)【要約】規制の枕は横寝より仰臥位に戻ると横寝後の部に歪み（５）が出来、もみがら、パイプ等、弾力なき素材は頚・頭の重さで沈む（１７）のを完璧に調整出来ない。発明は枕の頚部１つ頭部２つ計３分割（２）し、横寝より仰臥位に移動しても３分割の窪みに頚・頭が入る為、横寝後の部に歪みを残すことがなくなり、−面ファスナー（２０・２２）を頚・頭部枕裏に付け、＋面ファスナー（２１・２３）を頚・頭部外縫い目に付け、中心移動（２４）絞ることにより沈みが上がり（２７）、上り過ぎには外側移動（３１）緩め＋−ファスナーを固定する事により解決し、私の実願２００１−００２２６７・特願２００１−３３３５１８図９（１９・２８）を組み合わせると、全世界全ての人々の頚・頭を完璧に馴染ませる枕となる。
2005009182.tif 000002
【特許請求の範囲】
【請求項１】
既成の枕にない、巾と高さが自由自在に出来、頚・頭をサポートする枕を私・中里  修は登録実用新案第３０８１１５５号・特許公開２００３−０９３２１２で提出したが、横臥（横寝）位などより仰臥（あお向け）位に移動した場合、横臥位など後の枕部に凹み（斜の状態もあり）の変形・歪が出来る状態を、頭の頭部を２分割する事により（頚の部を含め３分割）その枕中心付近が頚部の後・頭部の後に接する面中心付近と合わさる形となり、よりなじんだ状態となる事により横臥位等より仰臥位移動しても横臥位など後の凹みの変形・歪が枕に出来ない事を特徴とする頚・頭サポート枕。
【請求項２】
また、頭部２分割（頚部を含め３分割）しても、人間千差万別・頚・頭の形状に対し完璧に調整できないため、特に弾力性がない素材（パイプ・もみがら等）は、頚・頭の圧で枕が沈んだり、中心方向に縮んだりのまま元に戻りにくいため、頚・頭サポート枕布裏下面（頚部は表面もあり）に−面ファスナーを取り付け、両外側縫い目部等に＋面ファスナーを取り付け、−面ファスナー部・＋面ファスナー縫い目部を基点として、＋面ファスナーを中心方向、外側方向に移動し、絞り、緩めを行う事により、沈んだり、縮んだり、広がったり等を調整し、より微調整をも出来る様に、＋面ファスナーを付けた袋状小枕を、頚・頭部枕裏に付けた−面ファスナーを接着させ、小枕の床面部にあるファスナーより、素材の出し入れを行ない、微調整し、６３億人６３億様の頚・頭により完璧な微調整をも可能とする頚・頭サポート枕。
【発明の詳細な説明】
【技術分野】  色々な寝姿体位、例・横臥位（横寝）より仰臥位になった際、横臥位後の枕部に凹み等、変形・歪みが出来る状態・また、頚・頭の圧により枕が沈んだり、縮んだりする状態・形状として千差万別の頚・頭を、いかに自由自在より良き状態に調整するかの枕に関するものである。
【背景技術】    人間の寝姿を側面より見る時、頭骨Ｏ、頚椎骨Ｓ字状になっていて、その形状にあった頚・頭のサポート枕があるが、固定されているか、高低を調整するだけの枕が従来の既製品（例えば、特許文献１参照。）・（例えば、実用新案文献１参照。）として販売されていたが、私・中里  修は高低を含め巾をも自由自在に出来えて千差万別の頚・頭になじむ枕を考案提出（特許文献２参照。）・（実用新案文献２参照。）した。
しかし、私・中里  修の登録実用新案・特許（公開）の枕でも弾力性がない素材（パイプ、もみがら等）では、頚・頭の圧が加わった後、元に戻らなく、色々な寝姿体位・例・横臥位より仰臥位になった際、横臥位後の枕部に凹み等の歪が出来、仰臥位で寝たつもりでも、仰臥位付近の枕頚部・頭部が変形し（枕の片側が凹んだり斜になったり等）寝づらい状況に落ち入る事があり、今まで１つの枕で微調整まで出来ない為に「全国調査すると５人に１人は睡眠に悩んでいます」（東京都小平市の国立精神・神経センター総長高橋清久氏：共同通信インタビュー２００２年４月１２日新聞掲載）と言われる現状解決に対する方法として従来の枕をより改善出来てこなかった現実があると思われます。（枕だけでなく精神的ストレス等も考えられますが、枕が合わない、馴染むものがない為、眠れない状況が続くと、それが精神的ストレスを生む引き金になる１つの原因であることは充分に考えられます。）
それに対して、既製枕（１つの枕で巾・高低を自由自在に出来ない）・日本特許庁先願調査（２００３年７月２８日現在まで）でも満足いくものはなく、理論的・実際の市場でも、仲々より良い状態に戻る・完璧に微調整できる枕はなく、既製の枕専門店、寝具店の感想もその通りであった。
以下、図１、図２、図１、図３により従来の既製品枕・図１、図１により私・中里  修の考案枕について説明する。
【特許文献１】    特許公報第２８７３０１９（第２頁、図１、図２）
【実用新案文献１】
登録実用新案公報第３０１１４９９号（第２頁、図１，図３）
【特許文献２】    特許公開２００３−０９３２１２号公報（第１頁、図１、）
【実用新案文献２】
登録実用新案公報第３０８１１５５号（第１頁、図１，）
このような既存の頚・頭サポート枕、私・中里  修の登録実用新案第３０８１１５５号・特許公開２００３−０９３２１２枕の問題点を解決する方法として、一つの枕で、いかに簡単に微調整までし得て、千差万別の人々が満足し頚・頭に馴染む頚・頭サポート枕を提供することにある。
【発明の開示】
本発明は枕の頚部は１つの部、頭部を２つの部、合せて３分割する方法を考案し、頚・頭、例・仰臥位より、横臥（横寝）位した場合、分割した１つの山に横臥（側頭部）位で寝てから、又その後、仰臥位になった場合でも頭（後頭部）は左右分割２つの谷間（頚も合せて３分割）に戻る為に、横臥位であった枕部凹みの歪・変形はなくなり、また正常な仰臥位に戻る事が出来る形態となるが、頚・頭は客観的に見ても千差万別６３億人６３億様の形状のため又、重力により、頚・頭が少し下方に沈んでくるために、枕の接する面も沈んだり中心方向に縮んだりする調整の方法として、−面ファスナーを頚の部布裏両外側より（また中心より）・頭の部布裏両分割部中心よりに付け・＋面ファスナーを頚部・頭部外側縫い目部等に取り付ける事により絞ったり、緩めたりして調整し、より微調整をも出来る様に＋面ファスナーを付けた袋状小枕を、枕裏頚・頭部に付けた−面ファスナーに接着させ、小枕のファスナーより素材の出し入れを行い、自由自在な微調整まで可能とし、寝やすく出来る形態とする。
【図面の簡単な説明】
【図１】（ａ）この発明の実施の形態を示した平面（表）図である。（ｂ）この発明の実施の形態を示した平面（裏）図である。
【図２】（ａ）この発明の実施の形態を示し、後頭部２分割した枕に仰臥位した上方（頭頂）より見た縦断面図である。（ｂ）この発明の実施の形態を示し、後頭部２分割した枕に横臥位した上方（頭頂）より見た縦断面図である。（ｃ）人間を枕に寝せ横臥位等であった部位に歪み、変形等が残った上方（頭頂）より見た縦断面図である。
【図３】（ａ）この発明の実施の形態を示した平面（内）図である。（ｂ）この発明の実施の形態を示した平面（裏）図である。
【図４】（ａ）人間を登録実用新案第３０８１１５５号の枕に、頚・頭を乗せた側面図である。（ｂ）人間を特許公開２００３−０９３２１２の枕に、頚・頭を乗せた側面図である。
【図５】（ａ）（ｂ）（ｃ）（ｄ）（ｅ）（ｆ）人間の頚・頭の平面図である。
【図６】（ａ）この発明の実施例を示した斜視図である。（ｂ）この発明の実施例を示した側面図である。（ｃ）この発明の実施例を示した上方（頭頂）より見た縦断面図である。
【図７】（ａ）この発明の実施例を示した斜視図である。（ｂ）この発明の実施例を示した側面図である。（ｃ）この発明の実施例を示した上方（頭頂）より見た縦断面図である。
【図８】（ａ）（ｂ）この発明の実施例を示した平面（裏）図である。
【図９】（ａ）（ｂ）この発明の実施例を示した斜視図である。
【図１０】（ａ）この発明の実施の形態を示した平面（裏）図である。（ｂ）この発明の実施の形態を示した斜視図である。（ｃ）この発明の実施の形態を示した平面（表）図である。（ｄ）この発明の実施の形態を示した上方（頭頂）より見た縦断面図である。
【図１１】（ａ）（ｂ）（ｃ）この発明の実施の形態を示した頚部、頭部左部分の平面（裏）図である。（ｄ）この発明の実施の形態を示した頚部、頭部左部分の平面（表）図である。
【図１２】（ａ）この発明の実施の形態を示した上方（頭頂）より見た縦断面図である。（ｂ）この発明の実施例を示した上方（頭頂）より見た縦断面図である。
【符号の説明】
１ａ、後頭部  右
１ｂ、後頭部  左
２    ２分割の中心部（頚部を含め３分割）
３    頚部
４    おかま状、鍋状、窪み状
５    変形、歪み
６    後頭部デコぎみ
７    後頭部平ぎみ
８    頚部が前弯ぎみ
９    頚部が後弯ぎみ
１０  頚部の巾が短い
１１  頚部の巾が長い
１２  頚間隔が細い
１３  頚間隔が太い
１４  円周が実線
１５  円周が点線
１６  ファスナー
１７  枕が沈む
１８  枕が中心方向に縮む
１９  特願２００１−３３３５１８（特許公開２００３−０９３２１２）枕の＋−面ファスナー
２０  −面ファスナー（頚部）
２１  ＋面ファスナー（頚部）
２２  −面ファスナー（頭部）
２３  ＋面ファスナー（頭部）
２４  中心方向移動
２５  絞り
２６  外側方向に広がる
２７  上方
２８  特願２００１−３３３５１８（特許公開２００３−０９３２１２）枕の短い布に付けた輪
２９  実願２００１−００２２６７（登録実用新案第３０８１１５５号）枕の＋面ファスナー
３０  実願２００１−００２２６７（登録実用新案第３０８１１５５号）枕の−面ファスナー
３１  外側方向移動
３２  分割部の溝
３３  枕カバー
３４  枕カバー＋面ファスナー
３５  枕裏−面ファスナー
３６  −面ファスナー（枕裏頚部・頭部）
３７  ファスナー（小枕部）
３８  袋状の小枕
３９  ＋面ファスナー（袋状の小枕部）
４０  微調整上下
【発明を実施するための最良の形態】  発明の実施の形態を図面で参照して説明すれば、図１・図２・後頭部が接する枕部１ａ・１ｂ、２つに分割して頚部が接する枕部３は１つの部分にしておく事により３分割となり１点を中心とする、より馴染みやすい  おかま状、鍋状・窪み状４が出来る。  図２仰臥位（ａ）・この状態より横臥位（ｂ）移動し、その後また仰臥位（ａ）に移動しても、２分割中心部（頚部を含め３分割）２に、後頭部・頚部が来る為に横臥位（ｂ）であった枕部に凹みの（ｃ）変形・歪み５を残す事なく、なじみやすい窪み状４の枕部に仰臥位（ａ）を維持出来ることになるが、図１（ａ）・図２（ａ）（ｂ）の如く、分割部は溝３２が出来るため、その枕の溝に馴染まない人が僅かにいるので、馴染ませる方法として、図３（ａ）（ｃ）枕カバー３３に＋面ファスナー３４を付け、各人の頚・頭が枕分割部で馴染む窪みを決定したら枕上に枕カバー３３を被せ、（ｂ）頚部３、頭部１ａ・１ｂの枕裏、−面ファスナー３５を付けた部（図１（ｂ）２２図１１（ｃ）（ｄ）図１２（ａ）（ｂ）裏面２０と兼ねるも可能。）に（ｃ）枕カバー３３の＋面ファスナー３４を接着させる事により、分割部の溝３２に馴染ませる事ができる。
この事により、分割部の溝３２に枕カバー３３が固定され、頚・頭が枕に違和感なく、より馴染むようになる。（馴染む度合により、枕カバー３３を重ねたり既成の枕カバーを重ねたりして応用できる。）
しかし図４（ａ）（ｂ）後頭部デコぎみ６・後頭部平ぎみ７・頚部が前弯ぎみ８・頚部が後弯ぎみ９  図５（ａ）（ｂ）頚部の巾が短い１０・頚部の巾が長い１１（ｃ）（ｄ）頚間隔が細い１２・頚間隔が太い１３など、また頚部・後頭部・（ｅ）（ｆ）円周が実線１４・円周が点線１５の様に枕に接する面は千差万別で、その調整として図１  図４  頚部３、頭部１ａ・１ｂ枕のファスナー１６入口より、枕内の素材（もみがら・ポリエステル綿・スポンジ・パイプ等）の出し入れで行う事が出来るが、その中の弾力性なき素材（もみがら、パイプ等）の枕は図６（ａ）（ｂ）（ｃ）・重力により頚・頭の重さで枕が沈んだり１７  中心方向に縮んだり１８して来る現実がある。（重さ・接する形の頚・頭により千差万別）
その調整解決方法として、例・私・中里  修の特許公開２００３−０９３２１２図１（ａ）（ｂ）頚の部３布裏内側よりに−面ファスナー２０を付け、外側縫い目部等に＋面ファスナー２１を付ける、頭の部１ａ・１ｂは中心部２よりに−面ファスナー２２を付け、外側縫い目部等に＋面ファスナー２３を付ける。
例えば図６（ａ）（ｂ）（ｃ）頚・頭の重さにより、枕が沈んだり１７、中心方向に縮んだり１８して枕が頚・頭に合ってない、馴染んでない等の感触があれば図７（ａ）（ｂ）（ｃ）図８（ａ）図９（ａ）＋面ファスナー２１、２３を、より布裏  中心方向移動２４することにより、絞り２５が出て、枕の沈み１７・縮み１８が図７（ａ）（ｂ）（ｃ）図９（ａ）（ｂ）外側方向に広がって２６、上方２７に引き上げられる事により弾力性なき素材（パイプ・もみがら等）でも反発力を得られる事と同じような状態となり、頚・頭が枕に合った馴染む感触を得られる。しかし６３億人・６３億様の合う枕に思いを致す時、その微調整補助として、図１０（ａ）枕裏頚部３、頭部１ａ・１ｂに−面ファスナー３６を付け、図５（ｅ）頭部・頚部円周が枕に当るぐらいの面積の図１０（ｂ）（ｃ）ファスナー３７を付けた袋状の小枕３８に＋面ファスナー３９を枕本体裏面方向に向け付け、例図６（ｂ）（ｃ）よりも床面方向に、より沈み、縮む状況や、微妙な不具合状況などあれば図１０（ｂ）（ｃ）袋状の小枕＋面ファスナー３９を（ａ）枕裏頚部・頭部−面ファスナー３６に接着させ（ｂ）（ｄ）小枕ファスナー３７より素材の出し入れを行ない、微調整上下４０させる方法により、枕本体から素材出し入れをおこなわないでも調整でき、頚・頭部が枕本体接触面では違和感なく、より馴染む感触を得られる。（もちろん微調整は枕本体面ファスナーでの調整、ファスナー１６よりの素材出し入れでも出来るし、弾力性有る無しに限らず全ての素材に可能である。）
例としては「枕が沈む１７・中心方向に縮む１８」をとり上げたが、人間の頚・頭は図４（ａ）（ｂ）図５（ａ）（ｂ）（ｃ）（ｄ）（ｅ）（ｆ）にある如く、千差万別、６３億人、６３億様である為に、素材の出し入れをファスナー１６より出し入れし、高低を調整したり図６（ａ）（ｂ）図７（ａ）（ｂ）私・中里  修の特許公開２００３−０９３２１２・登録実用新案第３０８１１５５号・（特許文献２・実用新案文献２図は外側部２ヶ所のみ図示）の巾・高低を調整する１９・２８・２９・３０を組み合せ、図９（ｂ）４ヶ所（例・私・中里  修の特許公開２００３−０９３２１２）１９・２８ａ・２８ｂ・２８ｄ・２８ｃで絞り、えぐる様に頚すじ肩部に合せ馴染ませたり、図８＋面ファスナー２１、２３を（ｂ）外側方向移動３１したり（ａ）中心方向移動２４したり等々、色々と組み合せて、千差万別６３億人・６３億様の頚・頭をサポートする事も可能とする。
なお図９（ａ）私・中里  修の特許公開２００３−０９３２１２（以下、特許公開と記載）  頚部３−面ファスナー２０は外側よりにあるが、同じ特許公開  図１図８では−面ファスナー２０が中心よりに付いていても図６（ｂ）のように＋−面ファスナー１９の上と布裏の間に＋面ファスナー２１を通す事は充分可能である。
しかし私・中里  修の登録実用新案第３０８１１５５号（以下、登録実用新案と記載）においては図４（ａ）図７（ｂ）図１１（ａ）−面ファスナー２０が中心よりに付いても、＋面ファスナー２１は＋−面ファスナー２９・３０をまたいで−面ファスナー２０に接着させる事も可能だが、＋−面ファスナー２９・３０を＋面ファスナー２１が押える形になるため、登録実用新案の特徴である、巾・高低を自由自在とする＋−面ファスナー２９・３０の脱着が悪くなる。
枕の沈む１７、縮む１８の比率は頭部１ａ・１ｂに較べ頚部３の面積が小さくとも、−面ファスナー２０を付ける部位は図１１（ｃ）登録実用新案＋−面ファスナー２９・３０外側よりに付け、中心方向移動、外側方向移動の＋面ファスナー２１は短くても可能（特許公開も同じ）ではあるが、図１１（ｂ）登録実用新案の＋−面ファスナー２９・３０脱着を、より容易にする為の方法は、枕の外側Ａ・Ｂ間をより長くする事により、−面ファスナー２０を外側よりに付けても＋面ファスナー２１を長く出来るため接着に余裕（特許公開も同じ）が生れる。
しかし実際の製作現場では材料（布・パイプ・＋−面ファスナーなど）経費が掛りすぎるので、他の方法（発明の原理は同じ）として図１１（ｃ）（ｄ）図１２（ａ）（ｂ）の如く、−面ファスナー２０を布表裏の外側よりに２ヶ所つけ、＋面ファスナー２１端の部位は片側縫い付け固定しないことで余裕が生まれ、表・裏２ヶ所の−面ファスナー２０に接着させ、１ヶ所を基点として絞ったり（中心方向移動）・緩めたり（外側方向移動）を余裕もって行うことが出来るし、図１２（ａ）（ｂ）頚部３の外側にファスナー１６を付けても、−面ファスナー２０が表・裏２ヶ所とり付けられている事により、固定されてない＋面ファスナー２１が外しやすく、寝ている際、外側部に取り付けた場合のファスナー１６の開閉がよりしやすく、より素材出し入れが出来やすくなる形態とする。（＋−面ファスナーを使用しない発明の原理は同じ方法として、頚・頭部両外側縫い目に紐を取り付け裏面中央付近で結び、絞ったり緩めたりする事により中心方向移動・外側方向移動することが出来形態となる。）
健康産業上の利用可能性
以上の記載より明らかなように、枕を頚部１ヶ・頭部２ヶ合せて３分割する事により、千差万別の頚、頭に合った枕の窪みができ、横臥位等より、仰臥位に戻った場合でも、横臥位等の部位に歪み・変形等を残す事もなくなり、頚・頭部両側布裏に−面ファスナーを固定させ（頚部は布表面もあり）、＋面ファスナーで絞ったり、緩めたり移動する事により簡単に調整も出来、＋面ファスナーをつけた小枕を枕本体裏面にある−面ファスナーにとりつけ、小枕ファスナーより素材を出し入れする事により、僅かな微調整をも可能となり巾・高さをより自由自在にできる。また私・中里  修の登録実用新案第３０８１１５５号・特許公開２００３−０９３２１２（先願調査では巾・高低を自在に調整できる枕は他に見当らない）を組み合せる事により、６３億人６３億様の頚・頭の形状に、１つの枕でより簡単、自由自在に合せることが出来るようになり目覚め爽やかな睡眠を得られ、より快適・健康な日常生活が送られる可能性を有する効果を奏するものである。
【図１】
2005009182.tif 000003
【図２】
2005009182.tif 000004
【図３】
2005009182.tif 000005
【図４】
2005009182.tif 000006
【図５】
2005009182.tif 000007
【図６】
2005009182.tif 000008
【図７】
2005009182.tif 000009
【図８】
2005009182.tif 000010
【図９】
2005009182.tif 000011
【図１０】
2005009182.tif 000012
【図１１】
2005009182.tif 000013
【図１２】
2005009182.tif 000014
【手続補正書】
【提出日】平成16年11月25日(2004.11.25)
【手続補正００１】
【補正対象書類名】特許請求の範囲
【補正対象項目名】特許請求の範囲
【補正方法】変更
【補正の内容】
【特許請求の範囲】
【請求項１】
（補正後）既製の枕にない、巾と高さが自由自在に出来、頚・頭をサポートする枕を私・中里  修は登録実用新案第３０８１１５５号・特許公開２００３−０９３２１２で提出したが、横臥（横寝）位などより仰臥（あお向け）位に移動した場合、横臥位など後の枕部に凹み（斜の状態もあり）の変形・歪が出来る状態を、頭の頭部を２分割・頚の部を含め３分割する事により、その枕中心付近が頚部の後・頭部の後に接する面中心付近と合わさる形となり、よりなじんだ状態となる事により横臥位等より仰臥位移動しても横臥位など後の凹みの変形・歪が枕に出来ない事を特徴とする頚・頭サポート枕。
【請求項２】
また、頭部２分割（頚部を含め３分割）しても、人間千差万別・頚・頭の形状に対し完璧に調整できないため、特に弾力性がない素材（パイプ・もみがら等）は、頚・頭の圧で枕が沈んだり、中心方向に縮んだりのまま元に戻りにくいため、頚・頭サポート枕布裏下面（頚部は表面もあり）に−面ファスナーを取り付け、両外側縫い目部等に＋面ファスナーを取り付け、−面ファスナー部・＋面ファスナー縫い目部を基点として、＋面ファスナーを中心方向、外側方向に移動し、絞り、緩めを行う事により、沈んだり、縮んだり、広がったり等を調整し、より微調整をも出来る様に、＋面ファスナーを付けた袋状小枕を、頚・頭部枕裏に付けた−面ファスナーを接着させ、小枕の床面部にあるファスナーより、素材の出し入れを行ない、微調整し、６３億人６３億様の頚・頭により完璧な微調整をも可能とする頚・頭サポート枕。
【国際調査報告】
2005009182.tif 000015
2005009182.tif 000016
2005009182.tif 000017
2005009182.tif 000018